(57)【特許請求の範囲】
【請求項１】
光を伝達するための採光板と、パネルに設けられた孔部への該採光板の取り付けをガイドするためにこの採光板に重ねられて配置される化粧パネルと、を備える部品ユニットにおいて、
上記化粧パネルに設けられ、上記パネルへの取り付けに際して該パネルへ当接する第１のパネル側当接部と、
上記採光板に設けられ、上記パネルへの取り付けに際して該パネルへ当接する第２のパネル側当接部と、
上記化粧パネルに設けられた上記採光板に対向する第１の対向部と、
上記採光板に設けられた上記化粧パネルに対向する第２の対向部と、
を具備し、上記第１のパネル側当接部及び上記第２のパネル側当接部が共に上記パネルに当接した状態で上記パネルに取り付けられるに際して、上記第１の対向部と上記第２の対向部との間に隙間部が形成され、この隙間部の存在によって上記化粧パネルと上記採光板とが互いに厚み方向で干渉しない構成となっていることを特徴とする部品ユニット。
【請求項２】
前記化粧パネル及び前記採光板が前記パネルへ取り付けられた状態において、前記化粧パネルのうち前記パネルと当接している側とは反対側にはシールド板に当接する第１のシールド板側当接部が設けられると共に、前記採光板のうち前記パネルと当接している側とは反対側にはシールド板に当接する第２のシールド板側当接部が設けられていることを特徴とする請求項１記載の部品ユニット。
【請求項３】
前記化粧パネルは、厚み方向に連なると共に異なる断面形状を有する第１の基体部と第２の基体部とを有していると共に、これら第１の基体部と第２の基体部の境界部分に第１のパネル側当接部が設けられていて、このうち上記第１の基体部は前記パネルの前記孔部に差し込まれると共に、上記第１のパネル側当接部は該第１の基体部が前記孔部に差し込まれた場合に前記パネルのうち前記孔部の縁部に当接することを特徴とする請求項１又は２記載の部品ユニット。
【請求項４】
前記第２の基体部には、前記第１の対向部が設けられていて、さらに、
前記化粧パネルに設けられ、前記第１の対向部から前記第１の基体部とは反対側に向かって突出して設けられると共に、その突出側端部が第１のシールド板側当接部となっている所定長リブと、
前記化粧パネルに設けられ、上記所定長リブの間の間隙に存する切欠き部と、
前記採光板に設けられ、前記第２の対向部から上記切欠き部を通過して外方に延出すると共に、この切欠き部を通過した外方側において前記パネルに当接する前記第２のパネル側当接部を有する延出部と、
を具備することを特徴とする請求項３記載の部品ユニット。
【請求項５】
前記化粧パネルには、厚み方向に貫通する貫通孔が形成されていると共に、前記採光板には、この貫通孔に挿通される挿通部と、該挿通部とは異なる断面形状に形成され前記第２の対向部を含み、かつ該第２の対向部の反対側に前記第２のシールド板側当接部を有するプレート部と、が設けられていることを特徴とする請求項１から４のいずれか１項に記載の部品ユニット。
【請求項６】
前記パネルと、前記化粧パネル及び前記採光板の少なくとも一方とによって、これら化粧パネル及び採光板が前記パネルに対して回転するのを防止する回転止め機構が構成されていることを特徴とする請求項１から６のいずれか１項に記載の部品ユニット。
【請求項７】
請求項１から７のいずれか１項に記載の前記化粧パネルと前記採光板を備える部品ユニットと、孔部が設けられていると共に前記化粧パネル及び前記採光板のいずれとも当接した状態で上記孔部を介してこの部品ユニットが取り付けられるパネルと、前記化粧パネル及び前記採光板のいずれとも当接した状態で前記パネルとの間で前記部品ユニットを挟み込むシールド板と、を具備することを特徴とする部品ユニットを用いた部品取付構造。
【請求項８】
前記パネルには、前記第１のパネル側当接部及び前記第２のパネル側当接部が当接する部分にリブ構造が形成されていることを特徴とする請求項７記載の部品ユニットを用いた部品取付構造。
【発明の詳細な説明】
【０００１】
【発明の属する技術分野】
本発明は、部品ユニット及びこの部品ユニットを用いた部品取付構造に関する。
【０００２】
【従来の技術】
例えば、オーディオ装置等の各種電気製品においては、パネル前面側に採光板が露出し、この採光板が内部の光源からの光を伝達する部品取付構造が一般に採用されている。この構成では、パネルとシールド板との間で、化粧パネル及び採光板を挟み込むが、パネルとシールド板とは、お互いが別途の固定部品により取付固定され、この状態で化粧パネル及び採光板をパネルとシールド板の間で挟み込む構成が一般的である。なお、別途の固定部品によらずに、採光板によってパネルとシールド板との間の取付固定を行う場合もある。
【０００３】
ここで、図９に採光板１２０を用いた部品ユニット１００及び部品取付構造１０１の一例を示す。この図に示す構成では、パネル１０２には、所定の径の孔部１０３が形成されていて、この孔部１０３の周縁にはリブ１０４が立設されている。そして、孔部１０３に化粧パネル１１０が差し込まれる。化粧パネル１１０は、図９に示すように小径部１１１及び大径部１１２から形成されている。小径部１１１は孔部１０３に差し込まれる部分であり、その径寸法は孔部１０３に小径部１１１が隙間なく嵌め込まれる大きさを有している。
【０００４】
また、大径部１１２と小径部１１１との境界面は、規制段部１１３となっている。この規制段部１１３は、リブ１０４に当接して、該化粧パネル１１０がパネル１０２から突出しすぎるのを防止するものである。また、化粧パネル１１０の径方向内部には、採光板１２０を差し込むための貫通孔１１４が、該化粧パネル１１０を貫くように形成されている。さらに、大径部１１２の径方向内部は、貫通孔１１４よりも大径となる嵌め込み孔１１５が形成されている。この嵌め込み孔１１５と貫通孔１１４との境界面は、移動規制部１１６となっていて、採光板１２０の化粧パネル１１０内部における軸方向移動を規制するものである。
【０００５】
採光板１２０も、化粧パネル１１０と同様に小径部１２１と大径部１２２から構成される。このうち、小径部１２１は貫通孔１１４に差し込まれる部分であり、その径寸法はこの貫通孔１１４へ小径部１２１が隙間なく嵌め込まれる大きさを有している。また、小径部１２１と大径部１２２の間の境界面は、上述の移動規制部１１６に当接する受け部１２３となっている。また、この採光板１２０には、これを貫くように挿通孔１２４が形成されている。
【０００６】
そして、パネル１０２と化粧パネル１１０とは、リブ１０４及び規制段部１１３で当接する。また、化粧パネル１１０と採光板１２０は、移動規制部１１６及び受け部１２３で当接する。さらに、採光板１２０とシールド板１３０とが当接して、化粧パネル１１０及び採光板１２０がパネル１０２とシールド板１３０との間で挟持される構成となる。なお、採光板１２０のみならず、採光板１２０と化粧パネル１１０とが共にシールド板１３０に当接する構成としても良い。
【０００７】
【発明が解決しようとする課題】
ところで、上述のように化粧パネル１１０と採光板１２０とを重ね合わせ、これらをパネル１０２とシールド板１３０との間に挟み込んで固定する場合、化粧パネル１１０と採光板１２０が夫々有している寸法公差が厚み方向で重ね合わされてしまい、寸法精度が悪くなる、という問題を有する。
【０００８】
化粧パネル１１０と採光板１２０との間の寸法精度が落ちると、図９に示した重ね合わされた化粧パネル１１０及び採光板１２０と、これらと同様にパネル１０２とシールド板１３０とで挟み込んで固定される他の部品ユニットとの間（例えば、他のタイプの化粧パネル及び採光板等）で、厚み方向の寸法差が生じる。それにより、他の部品ユニットよりも厚さが薄くなっている部品ユニット１００の固定が不十分となり、部品ユニット１００に位置ずれが発生したり、ガタによる異音が生じる、という問題も生じる。
【０００９】
また、このような不具合を解消するために、化粧パネル１１０と採光板１２０とを直接ビス止めしたり、接着や溶着等で固定する等の対策が為される場合もある。しかし、この場合には組み付け工数の増加、ビス等の部品点数増加を招き、コストが増加してしまう、という問題が生じるものとなる。
【００１０】
本発明は、上記の事情に基づきなされたもので、その目的とするところは、厚み方向で重ね合わされた場合でも、寸法公差が積み重ねられずに良好な寸法精度となる部品ユニット及びこの部品ユニットを用いた部品取付構造を提供することにある。
【００１１】
【課題を解決するための手段】
上述の目的を達成するため、本発明は部品ユニットの発明であり、光を伝達するための採光板と、パネルに設けられた孔部への該採光板の取り付けをガイドするためにこの採光板に重ねられて配置される化粧パネルと、を備える部品ユニットにおいて、化粧パネルに設けられ、パネルへの取り付けに際して該パネルへ当接する第１のパネル側当接部と、採光板に設けられ、パネルへの取り付けに際して該パネルへ当接する第２のパネル側当接部と、化粧パネルに設けられた採光板に対向する第１の対向部と、採光板に設けられた化粧パネルに対向する第２の対向部と、を具備し、第１のパネル側当接部及び第２のパネル側当接部が共にパネルに当接した状態でパネルに取り付けられるに際して、第１の対向部と第２の対向部との間に隙間部が形成され、この隙間部の存在によって化粧パネルと採光板とが互いに厚み方向で干渉しない構成となっているものである。
【００１２】
また、他の発明は、上述の発明に加えて更に、化粧パネル及び採光板がパネルへ取り付けられた状態において、化粧パネルのうちパネルと当接している側とは反対側にはシールド板に当接する第１のシールド板側当接部が設けられると共に、採光板のうちパネルと当接している側とは反対側にはシールド板に当接する第２のシールド板側当接部が設けられているものである。
【００１３】
さらに、他の発明は、上述の各発明に加えて更に、化粧パネルは、厚み方向に連なると共に異なる断面形状を有する第１の基体部と第２の基体部とを有していると共に、これら第１の基体部と第２の基体部の境界部分に第１のパネル側当接部が設けられていて、このうち第１の基体部はパネルの孔部に差し込まれると共に、第１のパネル側当接部は該第１の基体部が孔部に差し込まれた場合にパネルのうち孔部の縁部に当接することとしたものである。
【００１４】
また、他の発明は、上述の各発明に加えて更に、第２の基体部には、第１の対向部が設けられていて、さらに、化粧パネルに設けられ、第１の対向部から第１の基体部とは反対側に向かって突出して設けられた所定長リブと、化粧パネルに設けられ、所定長リブの間の間隙に存する切欠き部と、採光板に設けられ、第２の対向部から切欠き部を通過して外方に延出すると共に、この切欠き部を通過した外方側においてパネルに当接する第２のパネル側当接部を有する延出部と、を具備するものである。
【００１５】
さらに、他の発明は、上述の各発明に加えて更に、化粧パネルには、厚み方向に貫通する貫通孔が形成されていると共に、採光板には、この貫通孔に挿通される挿通部と、該挿通部とは異なる断面形状に形成され第２の対向部を含み、かつ該第２の対向部の反対側に第２のシールド板側当接部を有するプレート部と、が設けられているものである。
【００１６】
また、他の発明は、上述の各発明に加えて更に、パネルと、化粧パネル及び採光板の少なくとも一方とによって、これら化粧パネル及び採光板がパネルに対して回転するのを防止する回転止め機構が構成されているものである。
【００１７】
さらに、他の発明は、上述の部品ユニットの各発明を用いた部品取付構造の発明であり、化粧パネルと採光板を備える部品ユニットと、孔部が設けられていると共に化粧パネル及び採光板のいずれとも当接した状態で孔部を介してこの部品ユニットが取り付けられるパネルと、化粧パネル及び採光板のいずれとも当接した状態でパネルとの間で部品ユニットを挟み込むシールド板と、を具備するものである。
【００１８】
また、他の発明は、上述の発明に加えて更に、パネルには、第１のパネル側当接部及び第２のパネル側当接部が当接する部分にリブ構造が形成されているものである。
【００１９】
【発明の実施の形態】
以下、本発明の実施の形態について、図１から図８に基づいて説明する。なお、最初に第１の実施の形態について、図１から図５を参照しながら説明する。
【００２０】
（第１の実施の形態）
図１は、本実施の形態の部品ユニット１０、及びこの部品ユニット１０が用いられて構成される部品取付構造１１の構成を示す斜視図である。本実施の形態の部品ユニット１０は、例えばパネル２０の前面に存する各種部材（例えば回転式の操作ダイヤル等）の照明等に用いられるものである。具体的な適用例としては、カーオーディオ、ホームオーディオ等のオーディオビジュアル機器、携帯電話、固定電話やトランシーバ等の通信機器、その他の電子応用機器等が挙げられる。しかしながら、これらの機器以外にも、本発明は適用可能である。
【００２１】
パネル２０には、所定の径の孔部２１が形成されている。この孔部２１は、後述する化粧パネル３０を挿通させる部分であり、その周縁には後述するリブ構造２２の一部である円形リブ２４が立設されている。また、パネル２０にはリブ構造２２が一体的に設けられている。本実施の形態では、リブ構造２２は、図１に示すように、円形リブ２４を中心として１８０度対称な位置に設けられる２つの三角リブ２３と、１つの円形リブ２４とから構成されている。これら２つの三角リブ２３と１つの円形リブ２４とは、面一となるように、同一高さに形成されている。
【００２２】
このうち、各三角リブ２３は、図１に示すように、所定の幅を有した壁面が、円形リブ２４から外径側に向かって延伸していると共に、該三角リブ２３の頂角部からは、角度を変えて再び円形リブ２４に向かうように延伸している。そして、この三角リブ２３が、円形リブ２４の中心を挟んで対称となる位置に、一対設けられている。なお、本実施の形態では、三角リブ２３の頂角部の角度は、略９０度となっている。また、円形リブ２４も、三角リブ２３と同様に所定の幅を有した壁面が、その全周に亘って円形を描くように形成されている。
【００２３】
この円形リブ２４によって囲まれた孔部２１に、化粧パネル３０が差し込まれる。化粧パネル３０は、図１に示すように、第１の基体部としての小径部３１と、第２の基体部としての大径部３２の二段から構成されている。このうち、小径部３１は、図１に示すように、その外周壁面が孔部２１の径よりわずかに小さく形成されていて、孔部２１への差し込みを良好に行えるように構成されている。また、大径部３２は、小径部３１よりも径寸法が大きく形成されている。このため、大径部３２のうち、小径部３１との境界部分であってパネル２０と対向する部位は、境界面としての、円形リブ２４の壁面に当接支持される、第１のパネル側当接部としての支持段部３３となっている。
【００２４】
図１及び図４に示すように、大径部３２は、支持段部３３を有すると共に後述する採光板４０の対向面と対向する、第１の対向部としての円形リング状部３４と、この円形リング状部３４が為す平面から小径部３１とは反対方向に向かって立設されている、所定長リブとしての周壁リブ３５とを有している。このうち、周壁リブ３５は、円形リング状部３４の外縁側に設けられていて、その外周壁面が円形リング状部３４と面一を為すように形成されている。
【００２５】
また、周壁リブ３５は、図１に示すように、所定の幅を有した壁面が、円形リング状部３４の周方向に沿って所定の長さだけ、小径部３１から離間する方向に突出形成されている。そして、この周壁リブ３５の突出側端部は、シールド板５０に当接する、第１のシールド板側当接部としての当接支持部３６（図１で化粧パネル３０に描いた斜線部）となっている。
【００２６】
なお、本実施の形態における周壁リブ３５は、図１及び図３に示すように、円周方向のうち略９０度の角度範囲に亘って設けられていると共に、該大径部３２の径方向の中心を挟んで対向するように一対設けられている。すなわち、円形リング状部３４の外周縁部を略９０度ごとに４分割し、そのうち対角方向の２つの円弧部分に周壁リブ３５が設けられる。
【００２７】
また、円形リング状部３４から小径部３１に向かい、この小径部３１を貫く貫通孔３７が形成されている。この貫通孔３７は、後述する採光板４０の円筒状部４１が差し込まれるものである。
【００２８】
図１及び図５に示すように、大径部３２であって、周壁リブ３５と同一周方向のうち、該周壁リブ３５が存しない部分は、切欠き部３８となっている。この切欠き部３８は、後述する採光板４０の延出部４７を外径側に逃がすためのものである。すなわち、この切欠き部３８も円周方向のうち略９０度の角度範囲に亘って設けられていると共に、大径部３２の径方向の中心を挟んで対向するように一対設けられている。
【００２９】
この化粧パネル３０が孔部２１に差し込まれた状態で、採光板４０が取り付けられる。採光板４０は、図１に示すように、挿通部として機能する円筒状部４１と、プレート部４２とから構成されている。このうち、円筒状部４１は、化粧パネル３０の貫通孔３７に差し込まれる部分であり、かかる差し込みを為すために円筒状部４１の外径は貫通孔３７の直径よりわずかに小さくなるように形成されている。また、円筒状部４１の内径側には、この採光板４０を貫く挿通孔４３が形成されている。この挿通孔４３には、位置決め部材等、各種部材が位置することを可能としている。なお、特に必要がない場合には、挿通孔４３は形成しなくても良い。
【００３０】
また、図１及び図２に示すように、円筒状部４１の各図の上端側に位置するプレート部４２は、各図においてその上面であるシールド板５０と対向する面（図１で採光板４０に描画された斜線部分）が、該シールド板５０に当接する、第２のシールド板側当接部としてのシールド板当接面４４となっている。
【００３１】
このプレート部４２には、リブ係合部４５が設けられている。リブ係合部４５は、上述の周壁リブ３５の内径側に位置させると共に、この周壁リブ３５の内周部分に倣うように形成された部分である。なお、このリブ係合部４５は、略９０度の角度範囲に亘って形成されている周壁リブ３５に対応した周長を有するように形成されている。
【００３２】
なお、リブ係合部４５と円筒状部４１の間には、第１の対向部としての円形リング状部３４と対向すると共にプレート部４２の一部を為す、第２の対向部としての環状フランジ部４６が存する。そして、パネル２０に対して化粧パネル３０と採光板４０を取り付けた場合には、これら円形リング状部３４と環状フランジ部４６とが互いに当接せずに、図４及び図５に示すように隙間部１２が形成される構成となる。なお、図４は、図１に示されている、折れ曲がり線であるＡ線を含む平面で部品取付構造１１を切断したときの半断面図であり、また図５は、図１に示されている、折れ曲がり線であるＢ線を含む平面で部品取付構造を切断したときの半断面図である。
【００３３】
また、図１、図２及び図５に示すように、プレート部４２には、一対の延出部４７が設けられている。延出部４７は、リブ係合部４５よりも外径側に向かって延伸している部分である。すなわち、この延出部４７は、孔部２１に嵌め込まれた化粧パネル３０のうち、一対の切欠き部３８から径方向外方に向かって延伸する部分である。そして切欠き部３８から延伸した延出部４７は、パネル２０から突出形成されている三角リブ２３の各図で示す上面に当接するように設けられている。
【００３４】
ここで、図１、図５に示すように、かかる延出部４７と三角リブ２３との間の当接を良好にするために、延出部４７からパネル２０側に向かって、第２のパネル側当接部としてのリブ当接部４８が突出形成されている。なお、図１の手前側のリブ当接部４８は、その奥側の構造が良く分かるように、一部破断面として図示している。
【００３５】
リブ当接部４８は、その突出端部側が平面となるように形成されていて、このリブ当接部４８の突出端部側が三角リブ２３に対して面状に当接する構成となっている。また、延出部４７のリブ当接部４８が三角リブ２３へ当接する場合、プレート部４２は円形リング状部３４に対して非接触の状態となる。そして、プレート部４２の上面（シールド板５０と対向する面）は、シールド板５０と面接触する状態となる（図５参照）。
【００３６】
なお、図１に示すように、この採光板４０及び化粧パネル３０に当接するシールド板５０は、平板状部材である。また、シールド板５０は、採光板４０に導光された光が、シールド板５０側から出力されて漏れるのを防止するものとなっている。なお、採光板４０のプレート部４２の上面に凹凸が形成されている場合、その凹凸形状に対応してシールド板５０にも適宜凹凸形状を形成し、両者が良好に嵌合する状態とするのが好ましい。
【００３７】
また、シールド板５０の裏面に光源が有り、採光板４０に光を導く場合もある。この場合、採光板４０の環状フランジ部４６を凸形状で突出させ（一部分のみ）、これと共にシールド板５０にはこの凸形状より少し大きな孔を開け、この孔を介して凸形状をシールド板５０の裏側に突出させる。それによって、突出している凸形状の部分から光を導き、採光板４０を光らせることも可能である。
【００３８】
以上のような構成を有する部品ユニット１０及びこの部品ユニット１０を用いた部品取付構造１１の作用について、以下に説明する。部品ユニット１０をパネル２０に取り付けるに際しては、まず化粧パネル３０の小径部３１をパネル２０の孔部２１に差し込んで、支持段部３３を円形リブ２４上に載置させる。その後に、採光板４０を化粧パネル３０に対して重ねるようにする。採光板４０を重ねる場合には、図５に示すように延出部４７が切欠き部３８に位置するように配置し、該延出部４７が切欠き部３８を通過して延伸した状態とする。
【００３９】
これと共に、採光板４０のリブ当接部４８が三角リブ２３と面接触するように、化粧パネル３０と採光板４０とを回転させて、回転方向の位置調整を行う。この後に、パネル２０に対するシールド板５０の取付固定を、別途の固定部材（不図示）を用いて行う。このシールド板５０の取付固定により、化粧パネル３０と採光板４０は、パネル２０とシールド板５０との間で挟持される状態となる。この場合、シールド板５０は、化粧パネル３０及び採光板４０の双方と当接する状態となる。
【００４０】
ここで、図４及び図５に示すように、化粧パネル３０と採光板４０との回転方向の位置調整が為され、リブ当接部４８が三角リブ２３と面接触している状態においては、採光板４０のプレート部４２は、化粧パネル３０の円形リング状部３４に対して隙間部１２を有していて、非接触の状態となっている。すなわち、化粧パネル３０と採光板４０とはお互いに厚み方向において干渉することがなく、夫々独立にパネル２０とシールド板５０との間に介在する構成となる。
【００４１】
具体的には、化粧パネル３０は、パネル２０の円形リブ２４及びシールド板５０と、夫々支持段部３３及び当接支持部３６で接触する構成となる。また、採光板４０は、パネル２０の三角リブ２３及びシールド板５０と、夫々リブ当接部４８及びシールド板当接面４４で接触する構成となる。
【００４２】
以上のような構成を有する部品ユニット１０及びこの部品ユニット１０を用いた部品取付構造１１によれば、化粧パネル３０及び採光板４０のいずれも、パネル２０及びシールド板５０に対して、互いに干渉せずに隙間部１２を有する構成であり、しかも夫々が独立にパネル２０及びシールド板５０に接触する構成となっている。このため、従来のように化粧パネル３０と採光板４０とが接触した状態で積み重ねられた構成とはならず、従って互いの寸法公差が積み重ねられる構成とはならない。
【００４３】
具体的には、化粧パネル３０では、支持段部３３がパネル２０（円形リブ２４）と当接すると共に、当接支持部３６がシールド板５０と当接している。また、採光板４０では、リブ当接部４８がパネル２０（三角リブ２３）と当接すると共に、シールド板当接面４４がシールド板５０と当接している。それにより、化粧パネル３０と採光板４０とが、夫々独立にパネル２０及びシールド板５０に当接する構成となっている。
【００４４】
しかも、円形リング状部３４と環状フランジ部４６とが、隙間部１２を有して対向している構成となっている。それによって、化粧パネル３０と採光板４０とが、夫々独立にパネル２０及びシールド板５０に当接した場合に、隙間部１２が形成されて、実際に化粧パネル３０と採光板４０とが干渉しない構成となる。
【００４５】
よって、化粧パネル３０及び採光板４０は、この寸法公差が積み重ねられずに単独の寸法公差を夫々有した状態で当接する。それによって、寸法公差が積み重ねられることにより生じる、寸法精度の悪化や、この寸法精度の悪化によって引き起こされる、パネル２０とシールド板５０との間の固定が不十分となって該部品ユニット１０に位置ずれが生じたり、ガタによる異音が生じるのを防ぐことが可能となる。
【００４６】
また、位置ずれやガタによる異音を解消するために、化粧パネル３０と採光板４０とを直接ビス止めする等の特別な加工を行わなくても良い。それによって、組み付け工数の増加を防ぐことができると共に、ビス等の部品点数の増加を抑えることができる。それにより、化粧パネル３０と採光板４０の取付固定のためにコストが増加するのを抑えることができる。さらに、採光板４０を２方向に伸ばし、延出部４７を２つ設けているので、この延出部４７の全面がシールド板５０に当接することとなり、安定した固定を得ることができる。
【００４７】
（第２の実施の形態）
次に、本発明の第２の実施の形態について、図６から図８を参照しながら説明する。なお、先に示した第１の実施の形態における部材や部分と同一部材、同一部分には、同一符号を付して説明する。
【００４８】
上述の第１の実施の形態で説明した部品ユニット１０の各部材に変形を加えて、図６から図８に示すような構成としている。このうち、図７に示す構成では、化粧パネル３０Ａの円形リング状部３４から径方向外方に向かい、突出片６０が延伸している。この突出片６０は、周壁リブ３５の一部を切り欠いた隙間部６１から、円形リング状部３４と略面一となるように外径側に向かって延伸している。また、この突出片６０には、該突出片６０の延伸側端部から内径側に向かい略Ｕ字状に切り欠かれた切り欠き６２が形成されている。
【００４９】
また、図６に示す構成では、採光板４０Ａのプレート部４２のうち、リブ係合部４５にも、外径側に向かう突出片７０が延伸している。この突出片７０は、上述の突出片７０と同様の形状に形成されており、この突出片７０はプレート部４２のうちリブ係合部４５から外径側に向かうように形成されている。さらに、この突出片７０にも、突出片６０と同様に、突出片７０の延伸側端部から内径側に向かって略Ｕ字状に切り欠かれた切り欠き７１が形成されている。
【００５０】
また、これら化粧パネル３０Ａと採光板４０Ａとを重ねた場合に、突出片６０，７０が隙間（隙間部１２に相当する隙間）を有して重ねられると共に、切り欠き６２，７１の切り欠き形状が互いに連通するように配置されている。また、第２の実施の形態では、延出部４７のリブ当接部４８Ａがパネル２０のリブではなく、パネル２０の平面部に当接する。このため、リブ当接部４８Ａは、第１の実施の形態のリブ当接部４８に比べ、パネル２０側に突出した長さがより長くなっている。
【００５１】
突出片６０，７０の切り欠き６２，７１に対応させて、パネル２０に図８に示すようなボス８０を形成する。このボス８０は、切り欠き６２，７１を挿通することが可能な大きさの径を有するピン形状に形成されていて、しかもパネル２０に化粧パネル３０と採光板４０とが重ねられた場合に、切り欠き６２，７１を共に挿通することが可能な長さに形成されている。
【００５２】
そして、このボス８０が切り欠き６２，７１を挿通させることにより、化粧パネル３０と採光板４０が回転するのを防止することができる。すなわち、突出片６０，７０の切り欠き６２，７１とボス８０とによって、該化粧パネル３０と採光板４０のパネル２０に対する取付位置が位置決めされると共に、化粧パネル３０と採光板４０の回転止め機構が構成される。
【００５３】
この第２の実施の形態では、第１の実施の形態と同様に、隙間部１２が形成されるため、先の第１の実施の形態と同様な効果を有する。加えて、ボス８０と切り欠き６２，７１の採用によって、位置決め及び回り止めの精度がさらに向上する。
【００５４】
以上、本発明の各実施の形態の部品ユニット１０と、部品取付構造１１の公的な実施例を説明したが、本発明の要旨を逸脱しない範囲で種々変更実施可能である。例えば、上述の実施の形態では、リブ構造２２には三角リブ２３が存するとして説明したが、三角リブ２３は所定の幅を有する壁面形状には限られず、例えば所定の面積を有する面形状としても良い。また、第２の実施の形態のように、リブ自体を設けないようにしても良い。さらに、リブ当接部４８をＬ状とするのではなく、円弧状等、他の形状としても良い。同様に、延出部４７も三角状ではなく、他の形状を採用することができる。
【００５５】
さらに、パネル２０の前面側は、操作性や視認性向上のために傾斜して設けられることが多い。このことから、化粧パネル３０，３０Ａと採光板４０，４０Ａとは、パネル２０の傾斜に合わせて、パネル２０の取付側とシールド板５０の取付側とが、所定の傾斜角度を為すように傾斜する構成とするのが好ましい。
【００５６】
また、化粧パネル３０，３０Ａや採光板４０，４０Ａは、上述のように円形（円筒）を基本にする場合には限られず、例えば多角形（角筒）を基本にする場合であっても良い。さらには、化粧パネル３０，３０Ａは、小径部３１及び大径部３２の二段からなる場合には限られず、何段からなるものであっても良い。また、採光板４０，４０Ａも同様に、円筒状部４１及びプレート部４２の略二段からなる場合には限られず、何段からなるものであっても良い。
【００５７】
さらに、例えばパネル２０やシールド板５０のうち、化粧パネル３０，３０Ａ及び採光板４０，４０Ａが当接する部分の形状を、種々変更し、それに合わせて化粧パネル３０，３０Ａや採光板４０，４０Ａの形状をも種々変更することも可能である。また、シールド板５０との間に、他の当接部材を介在させたり、シールド板５０の代わりに他の当接部材を配置したりすること等により、例えば化粧パネル３０，３０Ａと採光板４０，４０Ａとが共にパネル２０とのみ直接当接すると共に、その反対側がシールド板５０ではなく該当接部材と当接するようにしても良い。
【００５８】
また、パネル２０のリブ構造２２は、化粧パネル３０，３０Ａ及び採光板４０，４０Ａと良好に当接するものであれば、どのような形状でも良く、更には化粧パネル３０，３０Ａ及び採光板４０，４０Ａとパネル２０とが良好に当接するものであれば、リブ構造２２は省略しても良い。また、第２の実施の形態において、突出片６０，７０のいずれか一方を設けないようにしても良いが、その場合であって、例えばボス８０がパネル２０に形成される場合は、突出片６０のみを設けるのが好ましい。
【００５９】
【発明の効果】
本発明によれば、隙間部の存在により、化粧パネルと採光板とが、互いに干渉しない状態で夫々独立に積み重ねられる。このため、従来のように化粧パネルと採光板とが接触した状態で積み重ねられず、互いの寸法公差が積み重ねられることがなく、寸法精度を良好な状態に保てる。また、寸法精度が良好に保たれても、従来のように、組み付け工数の増加や、部品点数の増加を招くことがなく、コストの増加を抑えることができる。
【図面の簡単な説明】
【図１】本発明の第１の実施の形態に係る部品ユニット及び部品取付構造の取り付けの様子を示す分解斜視図である。
【図２】図１の部品ユニット及び部品取付構造のうち、採光板の平面形状を示す図である。
【図３】図１の部品ユニット及び部品取付構造のうち、化粧パネルの平面形状を示す図である。
【図４】図１の部品ユニット及び部品取付構造のうち、パネルとシールド板の間で化粧パネル及び採光板が挟持される状態を示す図であり、折れ曲がり線であるＡ線を含む平面で、組み付け時の部品取付構造を切断したときの側断面図である。
【図５】図１の部品ユニット及び部品取付構造のうち、パネルとシールド板の間で化粧パネル及び採光板が挟持される状態を示す図であり、折れ曲がり線であるＢ線を含む平面で、組み付け時の部品取付構造を切断したときの側断面図である。
【図６】本発明の第２の実施の形態に係る部品ユニット及び部品取付構造に使用される採光板であり、切り欠きが形成された突出片を有する採光板の形状を示す平面図である。
【図７】本発明の第２の実施の形態に係る部品ユニット及び部品取付構造に使用される化粧パネルであり、切り欠きが形成された突出片を有する化粧パネルの形状を示す平面図である。
【図８】本発明の第２の実施の形態に係る部品ユニット及び部品取付構造に使用されるパネルであり、ボスが形成されたパネルの形状を示す平面図である。
【図９】従来の部品ユニット及び部品取付構造の取り付けの様子を示す分解斜視図である。
【符号の説明】
１０…部品ユニット
１１…部品取付構造
１２…隙間部
２０…パネル
２１…孔部
２２…リブ構造
２３…三角リブ
２４…円形リブ
３０…化粧パネル
３１…小径部（第１の基体部）
３２…大径部（第２の基体部）
３３…支持段部（第１のパネル側当接部）
３４…円形リング状部（第１の対向部）
３５…周壁リブ（所定長リブ）
３６…当接支持部（第１のシールド板側当接部）
３８…切欠き部
４０…採光板
４１…円筒状部（挿通部）
４２…プレート部
４４…シールド板当接面（第２のシールド板当接部）
４５…リブ係合部
４６…環状フランジ部（第２の対向部）
４７…延出部
４８…リブ当接部（第２のパネル側当接部）
５０…シールド板
６０，７０…突出片（回転止め機構の一部）
６２，７１…切り欠き（回転止め機構の一部）
８０…ボス（回転止め機構の一部）
【図１】
0003875893.tif 000002
【図２】
0003875893.tif 000003
【図３】
0003875893.tif 000004
【図４】
0003875893.tif 000005
【図５】
0003875893.tif 000006
【図６】
0003875893.tif 000007
【図７】
0003875893.tif 000008
【図８】
0003875893.tif 000009
【図９】
0003875893.tif 000010